(57)【要約】【課題】配線板状部材が装着されるコネクタ装置であって、配線板状部材の装着を極めて簡単で容易な作業をもって行うことができ、配線板状部材を装着するための組立作業性の改善が図られたものを提供する。【解決手段】シグナルコンタクト部材１３と、グラウンドコンタクト部材１４と、それらを支持し、グラウンドコンタクト部材１４に設けられたシェル部１８（１８Ａ，１８Ｂ）によって覆われる端面部５１ａを有した絶縁ハウジング部材１５とを備えて構成され、絶縁ハウジング部材１５の端面部１５ａとそれを覆うシェル部１８の部分との間に板状部材収容空間２０が形成されて、板状部材収容空間２０内に配線板状部材１１が挿入されたとき、シグナルコンタクト部材１３とグラウンドコンタクト部材１４とが配線板状部材１１に電気的に接続される状態が自動的にとられる。【選択図】図１２
2017004631.tif 000002
【特許請求の範囲】
【請求項１】
外部シグナルコンタクト部に係合して接触接続される接触係合部を有したシグナルコンタクト部材と、
上記接触係合部の周囲に配されて外部グラウンドコンタクト部に嵌合して接触接続される接触嵌合部及び該接触嵌合部から伸びるシェル部を有したグラウンドコンタクト部材と、
上記シグナルコンタクト部材と上記グラウンドコンタクト部材とを相互絶縁状態をもって支持し、上記シェル部によって覆われる端面部を有した絶縁ハウジング部材と、
を備えて構成され、
上記シグナルコンタクト部材に、上記絶縁ハウジング部材の端面部から該端面部の外部に突出し、配線板状部材のシグナル用導体におけるシグナル接点部に接触接続されるシグナル接触部が設けられるとともに、
上記グラウンドコンタクト部材におけるシェル部の、上記絶縁ハウジング部材の端面部を覆い上記シグナル接触部に対向する部分に、上記配線板状部材のグラウンド用導体におけるグラウンド接点部に接触接続されるグラウンド接触部が設けられ、
上記絶縁ハウジング部材の端面部と該端面部を覆う上記シェル部の部分との間に板状部材収容空間が形成されて、該板状部材収容空間内に上記配線板状部材が配されたとき、上記シグナルコンタクト部材におけるシグナル接触部が上記シグナル接点部に接触するとともに上記グラウンドコンタクト部材におけるグラウンド接触部が上記グラウンド接点部に接触して、上記シグナルコンタクト部材と上記グラウンドコンタクト部材とが上記配線板状部材に対する電気的接続状態におかれることを特徴とするコネクタ装置。
【請求項２】
上記シグナルコンタクト部材におけるシグナル接触部が、上記絶縁ハウジング部材の端面部から上記グラウンド接触部が設けられた上記グラウンドコンタクト部材におけるシェル部の上記シグナル接触部に対向する部分に向かって突出する弾性変位部を成すことを特徴とする請求項１記載のコネクタ装置。
【請求項３】
上記シグナルコンタクト部材におけるシグナル接触部が、弾性を具えたものとされ、上記板状部材収容空間内に上記配線板状部材が配されたとき、該配線板状部材における上記シグナル接点部に当接して上記配線板状部材を上記グラウンドコンタクト部材におけるシェル部の上記シグナル接触部に対向する部分に設けられた上記グラウンド接触部側へと弾性押圧する弾性押圧部を形成していることを特徴とする請求項１記載のコネクタ装置。
【請求項４】
上記配線板状部材が配される上記板状部材収容空間が、該板状部材収容空間内に上記配線板状部材が上記グラウンドコンタクト部材の接触嵌合部の上記外部グラウンドコンタクト部に対する嵌合方向に直交する方向に沿って挿入されるものとされることを特徴とする請求項１記載のコネクタ装置。
【請求項５】
上記グラウンドコンタクト部材におけるシェル部が相互対向配置された一対のシェル半体を備えて構成され、該一対のシェル半体の各々に上記グラウンド接触部が設けられていることを特徴とする請求項１記載のコネクタ装置。
【請求項６】
上記グラウンドコンタクト部材が、上記板状部材収容空間内に上記配線板状部材が配されたとき、該配線板状部材に当接して該配線板状部材を位置決めする位置決め当接部と上記配線板状部材に設けられた係合部に係合して該配線板状部材を係止する係止部とが設けられたものとされることを特徴とする請求項１記載のコネクタ装置。
【発明の詳細な説明】
【技術分野】
【０００１】
本願の特許請求の範囲に記載された発明は、シグナル用導体とグラウンド用導体とが設けられた配線板状部材のシグナル用導体及びグラウンド用導体に夫々接触接続される、互いに絶縁されたシグナルコンタクト部材及びグラウンドコンタクト部材を備えて成り、他のコネクタ装置である相手方コネクタ装置に連結されるコネクタ装置に関する。
【背景技術】
【０００２】
複数の電気／電子部品，電気装置あるいは電子機器間等における高周波シグナルの伝送には、中心導体とそれを内部絶縁体を介して包囲する外側導体とが表皮絶縁体により被覆されて成る同軸ケーブル、あるいは、外部ノイズの影響を受け難いシグナル伝送路を形成するための工夫がなされたもとでシグナル用導体とグラウンド用導体とが設けられた配線板状部材（高周波シグナル用の配線基板部材）が用いられることが多い。例えば、高周波シグナル用の配線基板部材が高周波シグナルを扱う回路基板に接続されて、当該回路基板への外部からの高周波シグナルの配線基板部材を通じた伝送、あるいは、当該回路基板からその外部への配線基板部材を通じた高周波シグナルの伝送が行われる。
【０００３】
高周波シグナル用の配線基板部材が高周波シグナルを扱う回路基板に接続されるにあたっては、配線基板部材に設けられたグラウンド導体に接続されるグラウンド部材を備えたコネクタ装置に配線基板部材が装着され、そのコネクタ装置が、例えば、回路基板において扱われる高周波シグナルが供給される中心シグナルコンタクト部と中心シグナルコンタクト部を包囲して配されてグラウンド電位が与えられる環状グラウンドコンタクト部とを備えて回路基板に取り付けられた相手方コネクタ装置に連結するようになすことが提案されている（例えば、特許文献１参照。）。
【０００４】
特許文献１に開示されているコネクタ装置（同軸コネクタ(10)) は、導電性金属により形成されていて、高周波シグナル用の配線基板部材（ＦＰＣ(60)）に設けられたグラウンド導体（グランド導体(63)) に接続されるグラウンド部材（シェル(20)) を備えている。グラウンド部材（20) は、筒状の接触嵌合部（シェル接触部(31)) と、配線基板部材(60)に設けられたグラウンド導体(63)に当接して接触接続されるグラウンド接触部（第１バネ部(43)及び第２バネ部(44)) とを有している。さらに、グラウンド部材（20) には、配線基板部材(60)に設けられた切り欠き部(66)に係合する係合部（45) ，配線基板部材(60)の側縁部に当接して配線基板部材(60)についての位置決めを行う突起部(47)、及び、配線基板部材(60)をグラウンド部材（20) に固定すべく折り曲げられる固定部(48)が設けられている。
【０００５】
このようなもとで、配線基板部材(60)は、それに設けられたシグナル導体（信号導体(62)) が有するシグナル用接点（接触部(62a))がグラウンド部材（20) における筒状の接触嵌合部(31)の内側に対応する位置に配されるようにされ、さらに、それに設けられたグラウンド導体(63)がグラウンド部材（20) におけるグラウンド接触部(43)及び(44)に接触接続されて、グラウンド部材（20) に装着される。斯かる際には、グラウンド部材（20) における突起部(47)が配線基板部材(60)の側縁部に当接するとともに、グラウンド部材（20) における係合部（45) が配線基板部材(60)に設けられた切り欠き部(66)に係合して、配線基板部材(60)を位置決めし、また、グラウンド部材（20) における固定部(48)が折り曲げられてその端縁部が配線基板部材(60)に設けられた表側絶縁層(64)に押圧当接せしめられるものとされて、配線基板部材(60)をグラウンド部材（20) に固定する。
【０００６】
そして、このようにして配線基板部材(60)がグラウンド部材（20) に装着されたコネクタ装置(10)は、シグナルコンタクト部（相手側コンタクト(71)) とシグナルコンタクト部(71)を包囲するものとされたグラウンドコンタクト部（相手側シェル(72)) とを備えて、回路基板（プリント基板やＦＰＣ）に搭載された相手方コネクタ装置（相手側コネクタ(70)) に嵌合連結される。その際には、コネクタ装置(10)のグラウンド部材（20) における接触嵌合部(31)が相手方コネクタ装置(70)におけるグラウンドコンタクト部(72)に嵌合して接触接続されて、接触嵌合部(31)とグラウンドコンタクト部(72)とが電気的接続状態におかれ、また、グラウンド部材（20) に装着された配線基板部材(60)におけるシグナル導体(62)が有するシグナル用接点(62a) に、相手方コネクタ装置(70)におけるグラウンドコンタクト部(72)により包囲されたシグナルコンタクト部(71)が直接的に当接接触して、シグナル用接点(62a) とシグナルコンタクト部(71)とが電気的接続状態におかれる。その結果、コネクタ装置(10)のグラウンド部材（20) に装着された配線基板部材(60)が、相手方コネクタ装置(70)が搭載された回路基板に電気的に接続される。
【先行技術文献】
【特許文献】
【０００７】
【特許文献１】特開２０１４−８２１１９号公報
【発明の概要】
【発明が解決しようとする課題】
【０００８】
上述の特許文献１に開示されている従来提案されているコネクタ装置(10)においては、それが備えるグラウンド部材（20) に配線基板部材(60)が装着されるが、配線基板部材(60)をグラウンド部材（20) に装着するにあたっては、グラウンド部材（20) における突起部(47)を配線基板部材(60)の側縁部に当接させるとともに、グラウンド部材（20) における係合部（45) を配線基板部材(60)に設けられた切り欠き部(66)に係合させて、それにより配線基板部材(60)を位置決めしたもとにおいて、グラウンド部材（20) における固定部(48)を、その端縁部が配線基板部材(60)に設けられた表側絶縁層(64)に押圧当接するように折り曲げて、配線基板部材(60)をグラウンド部材（20) に固定するという煩わしい作業が必要とされる。それゆえ、コネクタ装置(10)にあっては、配線基板部材(60)をグラウンド部材（20) に装着するための組立作業性が悪いという問題が内在していることになる。
【０００９】
また、配線基板部材(60)がグラウンド部材（20) に装着されたコネクタ装置(10)が、回路基板に搭載された相手方コネクタ装置(70)に嵌合連結されるときには、グラウンド部材（20) に装着された配線基板部材(60)におけるシグナル導体(62)が有するシグナル用接点(62a) に、相手方コネクタ装置(70)におけるシグナルコンタクト部(71)が直接的に当接接触することにより、シグナル用接点(62a) とシグナルコンタクト部(71)との電気的接続状態がとられる。従って、コネクタ装置(10)の相手方コネクタ装置(70)との嵌合連結と嵌合連結の解除とが繰り返さる場合には、それに伴って、シグナル用接点(62a) に対するシグナルコンタクト部(71)の当接接触と当接接触の解除とが繰り返されることになり、その結果、配線基板部材(60)に配されたシグナル用接点(62a) の変形や削れが生じて、シグナル用接点(62a) とシグナルコンタクト部(71)との電気的接続が信頼性に欠けるものとなってしまう虞がある。
【００１０】
斯かる点に鑑み、本願の特許請求の範囲に記載された発明は、シグナル用導体とグラウンド用導体とが設けられた配線板状部材が装着される状態がとられ、装着された配線板状部材におけるシグナル用導体及びグラウンド用導体に夫々接触接続される、互いに絶縁されたシグナルコンタクト部材及びグラウンドコンタクト部材を備えて、他のコネクタ装置である相手方コネクタ装置に連結されて使用されるものとして構成され、配線板状部材の装着を極めて簡単で容易な作業をもって行うことができて、配線板状部材を装着するための組立作業性の改善が図られ、しかも、相手方コネクタ装置との連結と連結解除とが繰り返される場合においても、配線板状部材のシグナル用導体と相手方コネクタ装置のシグナルコンタクト部との電気的接続及び配線板状部材のグラウンド用導体と相手方コネクタ装置のグラウンドコンタクト部との電気的接続との夫々における信頼性の低下がまねかれないコネクタ装置を提供する。
【課題を解決するための手段】
【００１１】
本願の特許請求の範囲における請求項１から請求項６までのいずれかに記載された発明に係るコネクタ装置（以下、本願発明に係るコネクタ装置という。）は、外部シグナルコンタクト部に係合して接触接続される接触係合部を有したシグナルコンタクト部材と、シグナルコンタクト部材の接触係合部の周囲に配されて外部グラウンドコンタクト部に嵌合して接触接続される接触嵌合部及びそれから伸びるシェル部を有したグラウンドコンタクト部材と、シグナルコンタクト部材とグラウンドコンタクト部材とを相互絶縁状態をもって支持し、シェル部によって覆われる端面部を有した絶縁ハウジング部材とを備えて構成され、シグナルコンタクト部材に、絶縁ハウジング部材の端面部からその外部に突出し、配線板状部材のシグナル用導体におけるシグナル接点部に接触接続されるシグナル接触部が設けられるとともに、グラウンドコンタクト部材におけるシェル部の、絶縁ハウジング部材の端面部を覆いシグナル接触部に対向する部分に、配線板状部材のグラウンド用導体におけるグラウンド接点部に接触接続されるグラウンド接触部が設けられ、絶縁ハウジング部材の端面部とそれを覆うシェル部の部分との間に板状部材収容空間が形成されて、板状部材収容空間内に配線板状部材が配されたとき、シグナルコンタクト部材におけるシグナル接触部が配線板状部材のシグナル接点部に接触するとともにグラウンドコンタクト部材におけるグラウンド接触部が配線板状部材のグラウンド接点部に接触して、シグナルコンタクト部材とグラウンドコンタクト部材とが配線板状部材に対する電気的接続状態におかれることを特徴とするものとされる。
【００１２】
このような本願発明に係るコネクタ装置にあっては、例えば、シグナルコンタクト部材におけるシグナル接触部が、絶縁ハウジング部材の端面部からグラウンド接触部が設けられたグラウンドコンタクト部材におけるシェル部のシグナル接触部に対向する部分に向かって突出する弾性変位部を成すものとされ、板状部材収容空間内に配線板状部材が配されたとき、配線板状部材におけるシグナル接点部に当接して配線板状部材をそれにおけるグラウンド接点部に接触したグラウンド接触部側へと弾性押圧するものとされる。
【００１３】
また、例えば、板状部材収容空間は、それに、配線板状部材がグラウンドコンタクト部材の接触嵌合部の外部グラウンドコンタクト部に対する嵌合方向に直交する方向に沿って挿入されて配されるものとされ、グラウンドコンタクト部材には、板状部材収容空間内に配線板状部材が配されたとき、その配線板状部材に当接して配線板状部材を位置決めする位置決め当接部と配線板状部材に設けられた係合部に係合して配線板状部材を係止する係止部とが設けられる。
【００１４】
従って、板状部材収容空間内に、シグナル用導体とグラウンド用導体とが設けられた配線板状部材が、例えば、グラウンドコンタクト部材の接触嵌合部の外部グラウンドコンタクト部に対する嵌合方向に直交する方向に沿って挿入されて配されると、シグナルコンタクト部材のシグナル接触部が配線板状部材のシグナル用導体におけるシグナル接点部に接触するとともにグラウンドコンタクト部材におけるグラウンド接触部が配線板状部材のグラウンド用導体におけるグラウンド接点部に接触する状態が自動的にとられ、その際、例えば、シグナルコンタクト部材におけるシグナル接触部が、配線板状部材をグラウンドコンタクト部材におけるグラウンド接触部側へと弾性押圧する。さらに、板状部材収容空間内に配された配線板状部材は、例えば、グラウンドコンタクト部材に設けられた位置決め当接部により位置決めされるとともに、同じくグラウンドコンタクト部材に設けられた係止部により係止される。
【発明の効果】
【００１５】
上述の本願発明に係るコネクタ装置においては、絶縁ハウジング部材の端面部とそれを覆うシェル部の部分との間に形成された板状部材収容空間内に、シグナル用導体とグラウンド用導体とが設けられた配線板状部材が、例えば、グラウンドコンタクト部材の接触嵌合部の外部グラウンドコンタクト部に対する嵌合方向に直交する方向に沿って挿入されて配されると、シグナルコンタクト部材におけるシグナル接触部が配線板状部材のシグナル用導体におけるシグナル接点部に接触するとともにグラウンドコンタクト部材におけるグラウンド接触部が配線板状部材のグラウンド用導体におけるグラウンド接点部に接触する状態が自動的にとられ、その際、例えば、シグナルコンタクト部材におけるシグナル接触部が、配線板状部材をグラウンドコンタクト部材におけるグラウンド接触部側へと押圧することにより、配線板状部材のシグナル接点部に対するシグナルコンタクト部材におけるシグナル接触部の接触接続及び配線板状部材のグラウンド接点部に対するグラウンドコンタクト部材におけるグラウンド接触部の接触接続が、確実かつ安定に行われるものとされ、さらに、板状部材収容空間内に配された配線板状部材が、例えば、グラウンドコンタクト部材に設けられた位置決め当接部により位置決めされるとともに、同じくグラウンドコンタクト部材に設けられた係止部により係止されるものとされて、板状部材収容空間内における適正な位置をとる状態を維持するものとされるので、配線板状部材の装着を極めて簡単で容易な作業をもって行うことができて、配線板状部材を装着するための組立作業性の改善が図られることになる。
【００１６】
しかも、本願発明に係るコネクタ装置にあっては、例えば、相手方コネクタ装置のシグナルコンタクト部とされる、外部シグナルコンタクト部を、配線板状部材のシグナル用導体におけるシグナル接点部に、直接的に当接接触させることなく、シグナルコンタクト部材を介して接続して、配線板状部材のシグナル接点部との電気的接続状態をとらせるので、例えば、本願発明に係るコネクタ装置の相手方コネクタ装置との連結と連結解除とが繰り返される場合においても、配線板状部材のシグナル用導体におけるシグナル接点部の変形や削れが生じる事態を回避することができ、その結果、配線板状部材のシグナル用導体と相手方コネクタ装置のシグナルコンタクト部との電気的接続及び配線板状部材のグラウンド用導体と相手方コネクタ装置のグラウンドコンタクト部との電気的接続との夫々における信頼性の低下がまねかれないことになる。
【図面の簡単な説明】
【００１７】
【図１】本願発明に係るコネクタ装置の一例をそれに装着される配線板状部材と共に示す斜視図である。
【図２】本願発明に係るコネクタ装置の一例を示す斜視図である。
【図３】本願発明に係るコネクタ装置の一例を示す底面側から見た斜視図である。
【図４】本願発明に係るコネクタ装置の一例を示す底面図である。
【図５】本願発明に係るコネクタ装置の一例が備えるグラウンドコンタクト部材を示す斜視図である。
【図６】図４におけるVI−VI線断面を示す断面図である。
【図７】図４における VII−VII 線断面を示す断面図である。
【図８】図１に示される配線板状部材を示す平面図である。
【図９】図１に示される配線板状部材を示す底面図である。
【図１０】本願発明に係るコネクタ装置の一例に図１に示される配線板状部材が装着された状態を示す斜視図である。
【図１１】本願発明に係るコネクタ装置の一例に図１に示される配線板状部材が装着された状態を示す底面図である。
【図１２】図１１における XII−XII 線断面を示す断面図である。
【図１３】本願発明に係るコネクタ装置の一例が嵌合連結される相手方コネクタ装置の一例を示す斜視図である。
【図１４】本願発明に係るコネクタ装置の一例がそれに図１に示される配線板状部材が装着されたもとで図１３に示される相手方コネクタ装置に嵌合連結された状態を示す断面図である。
【発明を実施するための形態】
【００１８】
本願発明を実施するための形態は、以下に述べられる本願発明についての実施例をもって説明される。
【実施例】
【００１９】
図１は、本願発明に係るコネクタ装置の一例とそれに装着される配線板状部材とを示す。図１に示される本願発明に係るコネクタ装置の一例を成すコネクタ装置１０は、実際の使用にあたっては、シグナル用導体とグラウンド用導体とが設けられた図１に示される配線板状部材１１が装着されたもとで、回路基板における部品搭載面に取り付けられた相手方コネクタ装置（一例が基板側コネクタ装置４０として後述される図１３に示されている。）に嵌合連結される。
【００２０】
コネクタ装置１０は、図２〜図４にも示されるように、主要構成要素として、導電性材料により形成されたシグナルコンタクト部材１３と、導電性材料により形成されたグラウンドコンタクト部材１４と、合成樹脂材等の絶縁材料により形成されてシグナルコンタクト部材１３とグラウンドコンタクト部材１４とを相互絶縁状態をもって支持する絶縁ハウジング部材１５と、を備えて構成されている。絶縁ハウジング部材１５は、相互対向する一対の端面部である第１の端面部１５ａと第２の端面部１５ｂとを有している。
【００２１】
シグナルコンタクト部材１３は、コネクタ装置１０が相手方コネクタ装置に嵌合連結されたもとにおいて当該相手方コネクタ装置のシグナルコンタクト部とされる外部シグナルコンタクト部に係合して接触接続される接触係合部１６を有しており、接触係合部１６が、絶縁ハウジング部材１５に形成されて第２の端面部１５ｂに開口する矩形孔１５ｃ内に収容されるものとされて、絶縁ハウジング部材１５により支持されている。また、グラウンドコンタクト部材１４は、コネクタ装置１０が相手方コネクタ装置に嵌合連結されたもとにおいて当該相手方コネクタ装置のグラウンドコンタクト部とされる外部グラウンドコンタクト部に嵌合して接触接続される接触嵌合部１７を有しており、接触嵌合部１７が、シグナルコンタクト部材１３の接触係合部１６の周囲に配されて接触係合部１６を包囲するものとされて、絶縁ハウジング部材１５により支持されている。さらに、グラウンドコンタクト部材１４は、接触嵌合部１７に加えて、接触嵌合部１７から伸びて絶縁ハウジング１５の第１の端面部１５ａを覆うシェル部１８を有している。
【００２２】
グラウンドコンタクト部材１４を単独で示す図５に明瞭に示されるように、グラウンドコンタクト部材１４の接触嵌合部１７は、筒状体を成すものとされており、その筒状体の仮想中心軸線に沿う方向に伸びるスリット１７ａが形成されていて、スリット１７ａの幅を狭める方向の弾性力を生じる弾性を具えたものとされている。そして、接触嵌合部１７は、それが成す筒状体の仮想中心軸線に沿う方向を嵌合方向として外部グラウンドコンタクト部に嵌合し、その際、外部グラウンドコンタクト部にスリット１７ａの幅を狭める方向の弾性力を作用させる。
【００２３】
また、グラウンドコンタクト部材１４のシェル部１８は、相互対向配置された一対のシェル半体１８Ａ及び１８Ｂを含んで構成されており、シェル半体１８Ａが屈曲連結部１９Ａによって接触嵌合部１７に連結されていて、シェル半体１８Ｂが屈曲連結部１９Ｂによって接触嵌合部１７に連結されている。それにより、シェル部１８の全体が、接触嵌合部１７から伸びるものとされている。
【００２４】
このようにして、シグナルコンタクト部材１３とグラウンドコンタクト部材１４とを相互絶縁状態をもって支持し、相互対向する第１の端面部１５ａと第２の端面部１５ｂとを有した絶縁ハウジング部材１５を備えているコネクタ装置１０にあっては、図４におけるVI−VI線断面を示す図６及び図４における VII−VII 線断面を示す図７に示されるように、絶縁ハウジング部材１５の第１の端面部１５ａと、一対のシェル半体１８Ａ及び１８Ｂとを含んで構成されたシェル部１８における第１の端面部１５ａを覆う部分と、の間に、配線板状部材１１が配される板状部材収容空間２０が形成されている。そして、シグナルコンタクト部材１３に、絶縁ハウジング部材１５の第１の端面部１５ａから第１の端面部１５ａの外部である板状部材収容空間２０内に突出する弾性変位部を成すシグナル接触部２１が設けられている。また、グラウンドコンタクト部材１４におけるシェル部１８を構成するシェル半体１８Ａの絶縁ハウジング部材１５の第１の端面部１５ａを覆いシグナルコンタクト部材１３のシグナル接触部２１に対向する部分に、グラウンド接触部２２Ａが板状部材収容空間２０内に突出するものとして設けられているとともに、グラウンドコンタクト部材１４におけるシェル部１８を構成するシェル半体１８Ｂの絶縁ハウジング部材１５の第１の端面部１５ａを覆いシグナルコンタクト部材１３のシグナル接触部２１に対向する部分に、グラウンド接触部２２Ｂが板状部材収容空間２０内に突出するものとして設けられている。従って、シグナルコンタクト部材１３におけるシグナル接触部２１は、絶縁ハウジング部材１５の第１の端面部１５ａからグラウンド接触部２２Ａ及び２２Ｂが夫々設けられたシェル半体１８Ａ及び１８Ｂの各々のシグナル接触部２１に対向する部分に向かって突出する弾性変位部を成していることになる。
【００２５】
さらに、グラウンドコンタクト部材１４におけるシェル部１８を構成するシェル半体１８Ａには、板状部材収容空間２０に配線板状部材１１が配されたとき、配線板状部材１１に当接して配線板状部材１１を位置決めする位置決め当接部２３Ａと配線板状部材１１における係合部３５（図１）に係合して配線板状部材１１を係止する係止部２４Ａとが設けられている。同様に、グラウンドコンタクト部材１４におけるシェル部１８を構成するシェル半体１８Ｂには、板状部材収容空間２０に配線板状部材１１が配されたとき、配線板状部材１１に当接して配線板状部材１１を位置決めする位置決め当接部２３Ｂと配線板状部材１１における係合部３６（図１）に係合して配線板状部材１１を係止する係止部２４Ｂとが設けられている。
【００２６】
図１に示される配線板状部材１１は、誘電体材料で形成された全体として矩形板状体を成す基体３０と基体３０を挟んで相互対向配置された一対の補強板部材３１及び３２を備えて構成されている。基体３０の外面を部分的に覆う補強板部材３１及び３２の夫々は、絶縁体を成すものとされている。基体３０には、配線部を構成するシグナル用導体とグラウンド用導体とが配されており、図８にも示されるように、グラウンド用導体は、それにおける一対のグラウンド接点部３３が補強板部材３１を貫通してその外部に露出するものとされており、また、図９に示されるように、シグナル用導体は、それにおけるシグナル接点部３４が補強板部材３２を貫通してその外部に露出するものとされている。そして、配線板状部材１１には、その長手方向の一端部側に、各々が段部を形成する一対の係合部３５及び３６が設けられている。
【００２７】
配線板状部材１１がコネクタ装置１０に装着される際には、図１，図６及び図７に示される板状部材収容空間２０に、配線板状部材１１が、一対の係合部３５及び３６が設けられた端部を先頭にして、グラウンドコンタクト部材１４における接触嵌合部１７の外部グラウンドコンタクト部に対する嵌合方向に直交する方向に沿って挿入されて、図１０，図１１及び図１１における XII−XII 線断面を示す図１２に示されるように、配線板状部材１１における一対の補強板部材３１及び３２が配された部分が、板状部材収容空間２０内に配される状態がとられる。
【００２８】
配線板状部材１１が板状部材収容空間２０に挿入されるときには、板状部材収容空間２０内において、配線板状部材１１における一対の係合部３５及び３６が設けられた端部が、グラウンドコンタクト部材１４におけるシェル部１８を構成するシェル半体１８Ａに設けられた係止部２４Ａ及びグラウンドコンタクト部材１４におけるシェル部１８を構成するシェル半体１８Ｂに設けられた係止部２４Ｂに当接して、係止部２４Ａ及び２４Ｂの夫々を、それが弾性変位を生じて板状部材収容空間２０内から一時的に退避する方向に押圧する。その後、配線板状部材１１が板状部材収容空間２０に更に挿入されると、配線板状部材１１の端部が係止部２４Ａ及び２４Ｂを通り過ぎて係止部２４Ａ及び２４Ｂから外れ、それにより、係止部２４Ａ及び２４Ｂの夫々が自己の弾性復元力によって元の位置に戻り、係止部２４Ａが配線板状部材１１における係合部３５に係合するとともに係止部２４Ｂが配線板状部材１１における係合部３６に係合して、係止部２４Ａ及び２４Ｂが配線板状部材１１を係止する。
【００２９】
また、このとき、グラウンドコンタクト部材１４におけるシェル部１８を構成するシェル半体１８Ａに設けられた位置決め当接部２３Ａ及びグラウンドコンタクト部材１４におけるシェル部１８を構成するシェル半体１８Ｂに設けられた位置決め当接部２３Ｂが、板状部材収容空間２０内において、配線板状部材１１における一対の係合部３５及び３６が設けられた端部に当接して、配線板状部材１１の位置決めを行う。従って、板状部材収容空間２０内においては、配線板状部材１１における一対の補強板部材３１及び３２が配された部分が、グラウンドコンタクト部材１４におけるシェル部１８を構成するシェル半体１８Ａ及び１８Ｂに夫々設けられた位置決め当接部２３Ａ及び２３Ｂによる位置決めを受けるとともに、シェル半体１８Ａ及び１８Ｂに夫々設けられた係止部２４Ａ及び２４Ｂによる係止を受けて、適正かつ安定に配されることになる。
【００３０】
このようにして、コネクタ装置１０における板状部材収容空間２０に配線板状部材１１における一対の補強板部材３１及び３２が配された部分が配されて、コネクタ装置１０に配線板状部材１１が装着されたたもとにあっては、図１２に示されるように、コネクタ装置１０のシグナルコンタクト部材１３におけるシグナル接触部２１が、配線板状部材１１における補強板部材３２を貫通してその外部に露出するシグナル用導体のシグナル接点部３４に当接接触するとともに、コネクタ装置１０のグラウンドコンタクト部材１４におけるシェル部１８を構成するシェル半体１８Ｂに設けられたグラウンド接触部２２Ｂが配線板状部材１１における補強板部材３１を貫通してその外部に露出するグラウンド用導体の一対のグラウンド接点部３３の一方に当接接触する。さらに、図示が省略されているが、コネクタ装置１０のグラウンドコンタクト部材１４におけるシェル部１８を構成するシェル半体１８Ａに設けられたグラウンド接触部２２Ａも、配線板状部材１１における補強板部材３１を貫通してその外部に露出するグラウンド用導体の一対のグラウンド接点部３３の他方に当接接触する。
【００３１】
斯かる際、配線板状部材１１におけるシグナル用導体のシグナル接点部３４に当接接触するシグナルコンタクト部材１３におけるシグナル接触部２１は、配線板状部材１１を、シェル半体１８Ａのシグナル接触部２１に対向する部分及びシェル半体１８Ｂのシグナル接触部２１に対向する部分に夫々設けられたグラウンド接触部２２Ａ及び２２Ｂ側へと弾性押圧する弾性押圧部を形成している。それにより、配線板状部材１１は、それにおけるシグナル用導体のシグナル接点部３４にシグナルコンタクト部材１３におけるシグナル接触部２１が当接接触し、それによりグラウンドコンタクト部材１４におけるグラウンド接触部２２Ａ及び２２Ｂ側へと押圧されるもとで、それにおけるグラウンド用導体の一対のグラウンド接点部３３にグラウンドコンタクト部材１４におけるグラウンド接触部２２Ａ及び２２Ｂが当接接触するものとされ、それにより、シグナル用導体のシグナル接点部３４に対するシグナルコンタクト部材１３におけるシグナル接触部２１の当接接触、及び、グラウンド用導体のグラウンド接点部３３に対するグラウンドコンタクト部材１４におけるグラウンド接触部２２Ａ及び２２Ｂの当接接触が確実かつ安定に行われることになる。
【００３２】
図１３は、配線板状部材１１が装着されたコネクタ装置１０が嵌合連結せしめられる相手方コネクタ装置の一例を成す基板側コネクタ装置４０を示す。基板側コネクタ装置４０は、実際の使用にあたっては、回路基板４１（図１４に示されている。）における部品搭載面上に固定される。
【００３３】
基板側コネクタ装置４０は、合成樹脂材等の絶縁材料により形成されて、基板側コネクタ装置４０が固定される回路基板４１の部品搭載面上に配される絶縁基体４３を備えている。絶縁基体４３は、基板側コネクタ装置４０が固定される回路基板４１の部品搭載面に対接する底面部分とそれに対向する上面部分とを有している。
【００３４】
また、基板側コネクタ装置４０は、例えば、合金板材とされる弾性を有した導電材料により形成され、絶縁基体４３を底面部分側から上面部分側へと貫通して、絶縁基体４３に組み付けられるシグナルコンタクト部４５を備えている。シグナルコンタクト部４５には、絶縁基体４３において底面部分側から上面部分側へと伸びる円柱状部を成す接触接続部４５ａと，絶縁基体４３の底面部分において接触接続部４５ａから絶縁基体４３の外部へと伸びるシグナル用接続部４５ｂとが設けられている。接触接続部４５ａは、基板側コネクタ装置４０に嵌合接続されたコネクタ装置１０のシグナルコンタクト部材１３における接触係合部１６が係合して接触接続されるものとされ、シグナル用接続部４５ｂは、絶縁基体４３が配される部品搭載面を有する回路基板４１に設けられたシグナル端子（図示が省略されている。）に、例えば、半田付けにより接続される。
【００３５】
さらに、基板側コネクタ装置４０は、例えば、合金板材とされる弾性を有した導電材料により形成され、絶縁基体４３の上面部分に配される環状体を成すものとして絶縁基体４３に組み付けられたグラウンドコンタクト部４６を備えている。グラウンドコンタクト部４６には、それから絶縁基体４３を貫通して絶縁基体４３の底面部分側において絶縁基体４３の外部へと伸びる複数のグラウンド接続部４６ａが設けられている。グラウンドコンタクト部４６は、基板側コネクタ装置４０に嵌合連結されたコネクタ装置１０におけるグラウンドコンタクト部材１４における接触嵌合部１７が嵌合して接触接続されるものとされ、グラウンド接続部４６ａは、絶縁基体４３が配される部品搭載面を有した回路基板４１に設けられたグラウンド端子４７（図１４に示されている。）に、例えば、半田付けにより接続される。
【００３６】
そして、図１４に示されるように、上述のようにして回路基板４１における部品搭載面上に固定された基板側コネクタ装置４０に、前述の配線板状部材１１が装着されたコネクタ装置１０が嵌合連結される。
【００３７】
配線板状部材１１が装着されたコネクタ装置１０が、回路基板４１における部品搭載面上に固定された基板側コネクタ装置４０に嵌合連結されたもとにあっては，コネクタ装置１０のグラウンドコンタクト部材１４における接触嵌合部１７が、基板側コネクタ装置４０のグラウンドコンタクト部４６に嵌合して接触接続される。それとともに、コネクタ装置１０における絶縁ハウジング部材１５の第２の端面部１５ｂが、基板側コネクタ装置４０のグラウンドコンタクト部４６の内側に配されて、絶縁ハウジング部材１５に形成されて第２の端面部１５ｂに開口する矩形孔１５ｃ内に、基板側コネクタ装置４０のシグナルコンタクト部４５における接触接続部４５ａが挿入され、矩形孔１５ｃ内に収容されたコネクタ装置１０におけるシグナルコンタクト部材１３における接触係合部１６が、基板側コネクタ装置４０のシグナルコンタクト部４５における接触接続部４５ａに係合して接触接続される。
【００３８】
このようにして、コネクタ装置１０のグラウンドコンタクト部材１４における接触嵌合部１７が、基板側コネクタ装置４０のグラウンドコンタクト部４６に嵌合して接触接続されることにより、コネクタ装置１０のグラウンドコンタクト部材１４におけるシェル部１８に設けられたグラウンド接触部２２Ａ及び２２Ｂとの電気的接続がなされた配線板状部材１１のグラウンド用導体が、グラウンドコンタクト部材１４におけるシェル部１８及び接触嵌合部１７と基板側コネクタ装置４０のグラウンドコンタクト部４６とを介して、回路基板４１に設けられたグラウンド端子４７に電気的に連結されることになり、また、コネクタ装置１０のシグナルコンタクト部材１３における接触係合部１６が、基板側コネクタ装置４０のシグナルコンタクト部４５における接触接続部４５ａに係合して接触接続されることにより、コネクタ装置１０のシグナルコンタクト部材１３におけるシグナル接触部２１との電気的接続がなされた配線板状部材１１のシグナル用導体が、シグナルコンタクト部材１３におけるシグナル接触部２１及び接触係合部１６と基板側コネクタ装置４０のシグナルコンタクト部４５における接触接続部４５ａを介して、回路基板４１に設けられたシグナル端子に電気的に連結されることになる。
【００３９】
上述のような本願発明に係るコネクタ装置の一例を成すコネクタ装置１０においては、絶縁ハウジング部材１５の第１の端面部１５ａとそれを覆うシェル部１８の部分との間に形成された板状部材収容空間２０内に、シグナル用導体とグラウンド用導体とが設けられた配線板状部材１１が、グラウンドコンタクト部材１４の接触嵌合部１７の基板側コネクタ装置４０のグラウンドコンタクト部４６に対する嵌合方向に直交する方向に沿って挿入されて配されると、シグナルコンタクト部材１３におけるシグナル接触部２１が配線板状部材１１のシグナル用導体におけるシグナル接点部３４に当接接触するとともにグラウンドコンタクト部材１４におけるグラウンド接触部２２Ａ及び２２Ｂが配線板状部材１１のグラウンド用導体における一対のグラウンド接点部３３に当接接触する状態が自動的にとられ、その際、シグナルコンタクト部材１３におけるシグナル接触部２１が、配線板状部材１１をグラウンドコンタクト部材１４におけるグラウンド接触部２２Ａ及び２２Ｂへと弾性押圧することにより、配線板状部材１１のシグナル接点部３４に対するシグナルコンタクト部材１３におけるシグナル接触部２１の接触接続及び配線板状部材１１の一対のグラウンド接点部３３に対するグラウンドコンタクト部材１４におけるグラウンド接触部２２Ａ及び２２Ｂの接触接続が、確実かつ安定に行われるものとされる。さらに、コネクタ装置１０においては、板状部材収容空間２０内に配された配線板状部材１１が、グラウンドコンタクト部材１４に設けられた位置決め当接部２３Ａ及び２３Ｂにより位置決めされるとともに、同じくグラウンドコンタクト部材１４に設けられた係止部２４Ａ及び２４Ｂにより係止されるものとされて、板状部材収容空間２０内における適正な位置をとる状態を維持するものとされるので、配線板状部材１１の装着を極めて簡単で容易な作業をもって行うことができて、配線板状部材１１を装着するための組立作業性の改善が図られることになる。
【００４０】
しかも、コネクタ装置１０にあっては、基板側コネクタ装置４０のシグナルコンタクト部４５を、配線板状部材１１のシグナル用導体におけるシグナル接点部３４に、直接的に当接接触させることなく、シグナルコンタクト部材１３を介して接続して、配線板状部材１１のシグナル接点部３４との電気的接続状態をとらせるので、例えば、配線板状部材１１が装着されたコネクタ装置１０の基板側コネクタ装置４０との連結と連結解除とが繰り返される場合においても、配線板状部材１１のシグナル用導体におけるシグナル接点部３４の変形や削れが生じる事態を回避することができ、その結果、配線板状部材１１のシグナル用導体と基板側コネクタ装置４０のシグナルコンタクト部４５との電気的接続及び配線板状部材１１のグラウンド用導体と基板側コネクタ装置４０のグラウンドコンタクト部４６との電気的接続との夫々における信頼性の低下がまねかれないことになる。
【産業上の利用可能性】
【００４１】
以上のような本願発明に係るコネクタ装置は、シグナル用導体とグラウンド用導体とが設けられた配線板状部材が装着される状態がとられ、装着された配線板状部材におけるシグナル用導体及びグラウンド用導体に夫々接触接続される互いに絶縁されたシグナルコンタクト部材及びグラウンドコンタクト部材を備えて、他のコネクタ装置である相手方コネクタ装置に連結されて使用されるものとされるもとで、配線板状部材の装着を極めて簡単で容易な作業をもって行うことができて、配線板状部材を装着するための組立作業性の改善が図られ、しかも、相手方コネクタ装置との連結と連結解除とが繰り返される場合においても、配線板状部材のシグナル用導体と相手方コネクタ装置のシグナルコンタクト部との電気的接続及び配線板状部材のグラウンド用導体と相手方コネクタ装置のグラウンドコンタクト部との電気的接続との夫々における信頼性の低下がまねかれないものとして、各種の電子機器等に広く適用され得るものである。
【符号の説明】
【００４２】
１０・・・コネクタ装置，  １１・・・配線板状部材，  １３・・・シグナルコンタクト部材，  １４・・・グラウンドコンタクト部材，  １５・・・絶縁ハウジング部材，  １５ａ・・・第１の端面部，  １５ｂ・・・第２の端面部，  １６・・・接触係合部，  １７・・・接触嵌合部，  １８・・・シェル部，  １８Ａ，１８Ｂ・・・シェル半体，  １９Ａ，１９Ｂ・・・屈曲連結部，  ２０・・・板状部材収容空間，  ２１・・・シグナル接触部，  ２２Ａ，２２Ｂ・・・グラウンド接触部，  ２３Ａ，２３Ｂ・・・位置決め当接部，  ２４Ａ，２４Ｂ・・・係止部，  ３０・・・基体，  ３１，３２・・・補強板部材，  ３３・・・グラウンド接点部，  ３４・・・シグナル接点部，  ３５，３６・・・係合部，  ４０・・・基板側コネクタ装置（相手方コネクタ装置），  ４１・・・回路基板，  ４３・・・絶縁基体，  ４５・・・シグナルコンタクト部，  ４５ａ・・・接触接続部，  ４５ｂ・・・シグナル用接続部，  ４６・・・グラウンドコンタクト部，  ４６ａ・・・グラウンド接続部
【図１】
2017004631.tif 000003
【図２】
2017004631.tif 000004
【図３】
2017004631.tif 000005
【図４】
2017004631.tif 000006
【図５】
2017004631.tif 000007
【図６】
2017004631.tif 000008
【図７】
2017004631.tif 000009
【図８】
2017004631.tif 000010
【図９】
2017004631.tif 000011
【図１０】
2017004631.tif 000012
【図１１】
2017004631.tif 000013
【図１２】
2017004631.tif 000014
【図１３】
2017004631.tif 000015
【図１４】
2017004631.tif 000016